(57)【要約】【課題】格納や搬送及び設置作業の取り扱いが容易になる支柱を提供すること。【解決手段】所定の長さになるように直列状に並べた複数の金属製の分断パイプ１と、下側分断パイプ１に一端側を、上側分断パイプ１に他端側を嵌入する継手パイプ１０と、最高所の分断パイプ１の上端と最低所の分断パイプ１の下端とに重ねた端板２と、この両端板２、２に設けてある透孔３に両端を貫通させ突出両端を上記端板２、２に固定した緊張材４と、上記各分断パイプ１内に充填した充填材６と、最高所と最低所の分断パイプ１の端部に被せたキャップ７とからなる支柱Ａ【選択図】図１
0003202169.tif 000002
【実用新案登録請求の範囲】
【請求項１】
所定の長さになるように直列状に並べた複数の金属製の分断パイプと、下側分断パイプの高所端内に一端側を嵌入して固定すると共に、他端側を上側分断パイプの低所端内に嵌入する継手パイプと、最高所の分断パイプの上端と最低所の上記分断パイプの下端とに重ねた端板と、この両端板に設けてある透孔に上記直列状に並ぶ分断パイプ内に嵌入して両端を貫通させた緊張材と、この緊張材の突出両端を上記端板に固定する固定手段と、上記各分断パイプ内に充填した自硬性の充填材と、上記最高所の分断パイプの上端と最低所の分断パイプの下端とに被せたキャップとからなることを特徴とする支柱。
【請求項２】
前記緊張材が鋼棒の場合、鋼棒が複数に分断してあり、この分断端を継手を介して接続してあることを特徴とする請求項１に記載の支柱。
【考案の詳細な説明】
【技術分野】
【０００１】
この考案は、斜面の崩壊（土砂流下や落石などの）にともなう、或いは雪崩防止用のためのネットの張設用に使用する支柱や、電柱や信号或いは各種道路表示板の取り付けに使用する支柱に関する。
【背景技術】
【０００２】
上述のような用途に使用する支柱は、金属製やコンクリート製のもので、一本の長尺（約１０ｍ位の長さ）のものである（例えば、特許文献１参照）。
【先行技術文献】
【特許文献】
【０００３】
【特許文献１】実用新案登録第３１４５１２８号公報
【考案の概要】
【考案が解決しようとする課題】
【０００４】
ところで、特許文献１の支柱は、一本の長尺な柱状のため、保管場所から設置場所に搬入する場合、所管の警察に搬送の許可を申請した上で搬送する。
【０００５】
このため、手続に手数がかかると共に、長尺なため自動車への積み込み、荷下ろしに多大な労力を要し、そもすれば重機を使用しなければならない問題が発生した。
また、設置に際しても長尺なため、作業が大変であった。
【０００６】
さらに、外力を受けると、屈曲しやすく、特にコンクリート製の場合、外力に弱く、破損（屈曲）しやすい問題があった。
【０００７】
そこで、この考案の目的は、上記の問題を解決して、格納や搬送及び設置作業の取り扱いが容易になる支柱を提供することにある。
【課題を解決するための手段】
【０００８】
上記の課題を解決するために、この考案は、所定の長さになるように直列状に並べた複数の金属製の分断パイプと、下側分断パイプの高所端内に一端側を嵌入して固定すると共に、他端側を上側分断パイプの低所端内に嵌入する継手パイプと、最高所の分断パイプの上端と最低所の上記分断パイプの下端とに重ねた端板と、この両端板に設けてある透孔に上記直列状に並ぶ分断パイプ内に嵌入して両端を貫通させた緊張材と、この緊張材の突出両端を上記端板に固定する固定手段と、上記各分断パイプ内に充填した自硬性の充填材と、上記最高所の分断パイプの上端と最低所の分断パイプの下端とに被せたキャップとからなる構成を採用する。
【０００９】
また、前記緊張材が鋼棒の場合、鋼棒が複数に分断してあり、この分断端を継手を介して接続してある構成を採用する。
【考案の効果】
【００１０】
以上のように、この考案の支柱によれば、複数の分断パイプを直列状に並べて、分断パイプの対向端を継手パイプにより接続して組み立てるので、使用前は極めて嵩低くなる。
【００１１】
このため、格納しやすく、かつ現場搬入して設置するまで短尺なため、長尺物の搬入のような各種不都合をなくすることができる。
【００１２】
また、高所分断パイプの上端と低所分断パイプの下端とにそれぞれ端板を配し、この両端板に継ぎ足した分断パイプに挿入した緊張材の両端を緊張状態を保って固定してあるので、直列状の分断パイプの強度を大幅にアップして、強靱な支柱になると共に、直列状に並ぶ分断パイプ内に充填してある自硬性充填材で外力に強く、座屈などの不都合をなくすることもできる。その際、緊張材が補強芯材の役目をする。
【００１３】
また、緊張材に鋼棒を用いた場合、複数に分断して、分断端を継ぎ手を介し接続するので、分断パイプと同様の効果がある。
【図面の簡単な説明】
【００１４】
【図１】この考案に係る支柱の縦断正面図である。
【図２】同上の横断拡大平面図である。
【図３】支柱の使用例を示す一部切欠正面図である。
【考案を実施するための形態】
【００１５】
次に、この考案の実施例を添付図面に基づいて説明する。
図１に示すＡは、支柱である。
【００１６】
上記支柱Ａには、直列状に並べた際、所定の長さになるよう一本の金属製のパイプを複数に分断した分断パイプ１が用いられ、この分断パイプ１を直列状に並べる際、下側分断パイプ１の高所端内に継手パイプ１０の一端側を嵌入して固定しておく。
この固定は、溶接やビス止めなどで行う。
【００１７】
すると、継手パイプ１０の他端側に上側分断パイプ１の低所端を嵌入して、上下の分断パイプ１の上下端を接続することができる。
【００１８】
また、直列状に並んだ最上側分断パイプ１の上端と、最下側分断パイプ１の下端とにそれぞれ端板２、２を配置して、この両端板２に設けた透孔３に、直列状に並んだ分断パイプ１に挿入した緊張材４の両端部を貫通し、貫通一端側を固定手段５としてのねじ込んだナットを介し透孔３から抜けないように、そして緊張材４の他端側を引っ張り緊張すると共に、緊張状況下に緊張材４の他端を端板２に固定手段５としてのナットをねじ込んで固定する。
【００１９】
上記の緊張材４としては、例えば複数本のピアノ線や、図１、２に示すように図示の１本の鋼棒を（複数本であってもよい）用いた。
【００２０】
そして、緊張材４の緊張作業以前の直列状に並べた分断パイプ１内には、自硬性の充填材６を充填して、支柱Ａに外力による変形や座屈を阻止する強度を付与しておく。
上記の充填材６としては、セメントミルクやモルタルなどを使用する。
【００２１】
また、直列状に並ぶ最上側分断パイプ１の上端及び最下側分断パイプ１の下端に金属製などのキャップ７を被せ、このキャップ７内に充填材８を充填しておく。
充填材８として、例えばセメントミルクやモルタル、接着剤などがある。
【００２２】
また、緊張材４が鋼棒の場合、長尺になると取り扱いが困難なため、分断して、分断端をネジ方式の連結用継手１１を介し接続するようにしておくと、組み立て前の取り扱いが容易になる等の利点もある。
【００２３】
上記構成した支柱Ａは、図３に示すように防護ネットＢの支持用として、コンクリート壁Ｃに支柱Ａを埋設する。
【００２４】
勿論、防護ネットＢの支持用に限定されず、電柱や信号機や表示板の取付支柱Ａとして使用する。
【００２５】
なお、配置端板２の外側に位置するように、分断パイプ１の端部外側に短いパイプを嵌装して、分断パイプ１に前記短いパイプを溶接などで固定（図示省略）しておくと、短いパイプが端板２の移動止めにもなり、かつ充填材８の充填溜まり部となる。
【符号の説明】
【００２６】
Ａ    支柱
１    分断パイプ
２    端板
３    透孔
４    緊張材
５    固定手段
６    充填材
７    キャップ
８    充填材
１０  継手パイプ
１１  継手
【図１】
0003202169.tif 000003
【図２】
0003202169.tif 000004
【図３】
0003202169.tif 000005